(57)【要約】      （修正有）【課題】路面の掘削工事で、路面の開口部に設置している覆工板等に、梯子を確実に取り付けるための梯子固定治具、および、梯子固定治具と安全ブロック取り付け治具とのセットを提供する。【解決手段】梯子固定治具１は、水平方向に突出した凸部を上下方向から挟むために左右に離間配置された一対のコ字状の金具３と、これらのコ字状の金具３の鉛直部分を繋ぐ梯子固定台座５とを備え、コ字状の金具３は、鉛直部分のウェブ７と、ウェブ上端から凸部側に水平方向に延出している上フランジ９と、ウェブ下端から凸部側に水平方向に延出している下フランジ１１とから構成され、梯子固定台座５は、コ字状の金具３の鉛直部分を繋ぐ水平部２１と、水平部２１の両端から凸部の反対側に垂直に延出している延出部２３と、延出部２３に紐２５で開閉可能に取り付けられている梯子の横木を固定するためのフック部２７とから構成されている。【選択図】図３
2015165066.tif 000002
【特許請求の範囲】
【請求項１】
水平方向に突出した凸部を上下方向から挟むために左右に離間配置された一対のコ字状の金具と、これらのコ字状の金具の鉛直部分を繋ぐ梯子固定台座とを備え、
コ字状の金具は、鉛直部分のウェブと、ウェブ上端から凸部側に水平方向に延出している上フランジと、ウェブ下端から凸部側に水平方向に延出している下フランジとから構成され、
梯子固定台座は、コ字状の金具の鉛直部分を繋ぐ水平部と、水平部の両端から凸部の反対側に垂直に延出している延出部と、延出部に紐で開閉可能に取り付けられている梯子の横木を固定するためのフック部とから構成され、
上フランジに、下フランジ側に締め付け可能なボルトが取り付けら、
フック部は、左右の延出部に設けられており、各延出部に回動可能にバネでコ字状の金具側に付勢され、
左右のフック部は、延出部の上方において水平部材で一体となるように繋がれている事を特徴とする梯子固定治具。
【請求項２】
フック部には、閉鎖状態から紐を一度引くと開放状態が維持され、開放状態から紐を一度引くと閉鎖状態に戻る開閉機構が設けられている事を特徴とする請求項１に記載の梯子固定治具。
【請求項３】
下フランジが上フランジより長い事を特徴とする請求項１または２に記載の梯子固定治具。
【請求項４】
請求項１乃至３のいずれか１項に記載の梯子固定治具と、この梯子固定治具の近傍に設けられ、水平方向に突出した凸部の部材の上面に取り付けられた安全ブロック取り付け治具とのセット。
【発明の詳細な説明】
【技術分野】
【０００１】
本発明は、路面において所定の掘削工事を実施している場合に、路面の開口部に設置している、例えば、覆工板等の所定の部材に、梯子を確実に取り付けるための梯子固定治具、および、梯子固定治具と安全ブロック取り付け治具とのセットに関するものである。
【背景技術】
【０００２】
路面において、例えば、種々の管路を地中に設置する等の管路工事を実施する場合には、当該路面に掘削工事を行うことが多い。
【０００３】
この掘削工事は、現場に応じて様々な施工を実施するものであるが、一般的には、下記のような施工の工程を段階的に実施するものである。
【０００４】
Ａ.掘削する箇所の舗装を切断する舗装切断工程
Ｂ.舗装を撤去して所定の深さまで掘削する掘削工程
Ｃ.掘削した地中に管路等を設置する管等の布設工程
Ｄ.掘削した部分に土を入れて点圧しながら埋め戻す掘削箇所の埋め戻し工程
Ｅ.路面を舗装する路面復旧工程
【０００５】
そして、比較的に大掛かりで、全体の作業を終了するまでに長期間を要する管路工事の場合、１日の作業の終了時に掘削した路面の開口部に覆工板を設置し、路面の開口部を覆工板により覆うことで、夜間における交通等に支障が生じないようにしている。
【０００６】
この場合、翌日に工事を再開するときは、例えば、図１４に示すように、工事を行う部分の覆工板１０１を撤去して、管路工事を継続して実施するのである。
【０００７】
このとき、地中側において作業を実施する作業員は、図１４に示すように、路面の開口部１１０に梯子２００を立て掛け、この梯子２００を介して地中側に降りていた。この作業員が昇り降りに利用する梯子２００は、一般的には、所定の長さを有する二本の縦木の間に、足場となる短尺な横木を一定間隔に複数固定して形成されている。
【０００８】
そして、路面の開口部１１０における梯子２００の固定は、開口部１１０の周囲に設置した所定の柵１２０を利用している。この柵１２０は、例えば、開口部１１０の周囲に固定した複数のスタンション１２１の間に、クランプ等を介して複数の単管パイプ１２２を水平状に配置している。
【０００９】
この柵１２０への梯子２００の固定は、例えば、図１４に示すように、梯子２００の先端が路面の開口部１１０から少なくとも６０ｃｍ以上、上方に突出するように梯子２００を開口部１１０に立て掛け、梯子２００の横木と柵１２０の単管パイプ１２１を、番線１３０等を利用して直接縛り付けていた。
【００１０】
この他、特許文献１は、番線１３０の代わりとして、梁に取り付ける梯子固定金具を開示している。この梯子固定金具は、略長方形の薄板を、内側にはしごの親柱（縦木）が入るように略コの字型に形成したコの字型部材と、該コの字型部材の両側片が形成する開口部を閉鎖する閉鎖部材と、前記両側片の一方の外側面に設けられ、且つ、前記両側片を連結する連結片の面方向とその中心線が略平行か若しくは所定の角度で交わるボルト孔を内部に有するフックボルト支持部と、このフックボルト支持部のボルト孔に挿通するフックボルトと、このフックボルトに、フックボルト支持部を挟むように上下からそれぞれ螺合するナットとを備えている。
【００１１】
また、特許文献２に示す簡易吊り足場も存在する。この簡易吊り足場は、腰壁、パラペット等の壁躯体の両側面を挟み込んでこれに固定し得るクランプ体と、人が昇降する梯子とから構成され、前記クランプ体からフック部が突設されてなり、前記クランプ体を前記壁躯体に挟み込み固定し、該クランプ体のフック部に前記梯子の横桟（横木）を引っ掛けることによって前記壁躯体から吊り下げ固定状態に作業足場を構築し得るものとなされている。
【００１２】
一方、作業現場においては、梯子２００を介して昇り降りする作業員の安全を確保する器具として、安全ブロック３００が使用されている。
【００１３】
この安全ブロック３００は、作業員が梯子２００を介して昇降しているときに、足を滑らせる等して落下してしまった場合であっても、その落下を阻止して事故の発生を未然に防止するものである。
【００１４】
安全ブロック３００は、一般的には、所定のケース本体内から引き出されるワイヤロープを備えている。このワイヤロープは、ケース本体内に収容されている所定のドラムに巻回されており、ドラムの回転によるケース本体内からの引き出しと、ケース本体内への引き戻しが自在となっている。
【００１５】
そして、ワイヤロープの先端部は、所定のフック等を介して、作業員が装着している安全ベルトに掛け止めされる。
【００１６】
この安全ブロック３００は、作業員が通常の速さで梯子２００を昇降しているときには、ワイヤロープがケース本体から自動的に引き出され、また、ケース本体に引き戻されて、作業員の昇降時にワイヤロープが邪魔にならないように機能する。
【００１７】
しかし、作業員が何らかの原因により梯子２００から落下して、ワイヤロープがケース本体から勢い良く引き出されるような事態が生じると、ケース本体がワイヤロープの送り出しを停止して、作業員のそれ以上の落下を阻止するように作動するのである。
【００１８】
この様に、安全ブロック３００は、梯子２００を介した昇降時における作業員の安全を確保するための手段として必要不可欠のものであるが、例えば、図１４に示すように、掘削している路面から覆工板１０１を一部撤去して開口部１１０が露出している状況においては、安全ブロック３００を開口部１１０の上方に吊り下げるようにして設置するのに好ましい場所が存在していない。
【００１９】
そのため、作業現場においては、例えば、図１４に示すように、落下防止器具である安全ブロック３００を、単管パイプ１２２に取り付けたり、梯子２００の上端部に取り付けて、作業員の落下時の安全確保を図っているのが実情である。
【先行技術文献】
【特許文献】
【００２０】
【特許文献１】特開平８−１３９６７号公報
【特許文献２】特許第４６６３９２９号公報
【発明の概要】
【発明が解決しようとする課題】
【００２１】
上記したように、掘削工事の現場では、開口部１１０を囲うように一時的に設置した柵１２０の単管パイプ１２１に梯子２００を固定したり、また、柵１２０の単管パイプ１２１に安全ブロック３００を取り付けていることから、何らかの事象により単管パイプ１２１が倒壊した場合に、梯子２００と共に安全ブロック３００も倒壊するという問題があった。
【００２２】
このような事態は、梯子２００の上端部に安全ブロック３００を取り付けている場合にも、同様に生じる。
【００２３】
要するに、開口部１１０を囲うように一時的に設置した柵１２０の単管パイプ１２１は、そもそも梯子２００を固定したり、安全ブロック３００を取り付ける事態を想定していないため、何らかの荷重が加えられると倒壊する恐れがあり、その結果、梯子２００と共に安全ブロック３００も倒壊して、作業員の安全を充分に確保できていなかったのである。
【００２４】
また、単管パイプ１２１に梯子２００を番線１３０等で縛り付けて固定することから、梯子２００の固定と取り外しに時間を要していた。そのため、覆工内作業の都合で、梯子２００を着脱する必要がある場合に、作業員が容易に梯子２００を固定したり取り外すことが困難で、作業効率が低下するという問題があった。
【００２５】
この他、特許文献１に記載の梯子固定金具では、梁から梯子を取り外す際に、梯子の左右に取り付けられている閉鎖部材とフックボルトとをコの字型部材からそれぞれ取り外さなければならず、作業が煩雑になるという問題があった。
【００２６】
また、特許文献２に記載の簡易吊り足場では、フック部に梯子の横桟を引っ掛けるだけの構造のため、梯子の下方から上方に力が加わると梯子が簡易吊り足場から容易に外れるという問題があった。
【００２７】
そこで、本発明は、路面の開口部に設置している、例えば、覆工板等の所定の部材に、梯子を簡単且つ確実に取り付けると共に、梯子の取り外しも極めて容易である梯子固定治具、および、この梯子固定治具と、梯子を介した昇降時における作業員の落下を防止して安全を確保する安全ブロックとのセットを提供することを目的とする。
【課題を解決するための手段】
【００２８】
上記課題を解決するために、請求項１に記載の梯子固定治具に係る発明は、例えば、図２及び図３に示すように、
水平方向に突出した凸部を上下方向から挟むために左右に離間配置された一対のコ字状の金具と、これらのコ字状の金具の鉛直部分を繋ぐ梯子固定台座とを備え、
コ字状の金具は、鉛直部分のウェブと、ウェブ上端から凸部側に水平方向に延出している上フランジと、ウェブ下端から凸部側に水平方向に延出している下フランジとから構成され、
梯子固定台座は、コ字状の金具の鉛直部分を繋ぐ水平部と、水平部の両端から凸部の反対側に垂直に延出している延出部と、延出部に紐で開閉可能に取り付けられている梯子の横木を固定するためのフック部とから構成され、
上フランジに、下フランジ側に締め付け可能なボルトが取り付けら、
フック部は、左右の延出部に設けられており、各延出部に回動可能にバネでコ字状の金具側に付勢され、
左右のフック部は、延出部の上方において水平部材で一体となるように繋がれている事を特徴とする。
【００２９】
請求項１に記載の梯子固定治具によれば、水平方向に突出した凸部を上下方向から挟むために左右に離間配置された一対のコ字状の金具と、これらのコ字状の金具の鉛直部分を繋ぐ梯子固定台座とを備えることにより、梯子固定治具を介して、水平方向に突出した凸部に梯子を簡単且つ確実に固定できる。
【００３０】
また、梯子固定台座が、コ字状の金具の鉛直部分を繋ぐ水平部と、水平部の両端から凸部の反対側に垂直に延出している延出部と、延出部に紐で開閉可能に取り付けられている梯子の横木を固定するためのフック部とから構成されているので、作業員が覆工内にいる状態で紐を操作し、フック部を開放・閉鎖することにより、梯子固定治具への梯子の固定と、梯子固定治具からの梯子の取り外しが極めて容易である。
【００３１】
請求項１に記載の梯子固定治具に係る発明は、例えば、図２及び図３に示すように、上フランジに、下フランジ側に締め付け可能なボルトが取り付けられている事を特徴とする。
【００３２】
請求項１に記載の梯子固定治具によれば、上フランジに、下フランジ側に締め付け可能なボルトが取り付けられているので、ボルトを締め付けるという簡単な作業により、凸部に梯子固定治具をしっかりと固定することができる。
【００３３】
また、請求項１に記載の梯子固定治具に係る発明は、例えば、図２及び図３、図６に示すように、フック部は、左右の延出部に設けられており、各延出部に回動可能にバネでコ字状の金具側に付勢されている事を特徴とする。
【００３４】
請求項１に記載の梯子固定治具によれば、フック部は、左右の延出部に設けられており、各延出部に回動可能にバネでコ字状の金具側に付勢されているので、梯子の横木をフック部で確実に固定することができる。
【００３５】
また、請求項１に記載の梯子固定治具に係る発明は、例えば、図２及び図３に示すように、左右のフック部は、延出部の上方において水平部材で一体となるように繋がれている事を特徴とする。
【００３６】
請求項１に記載の梯子固定治具によれば、左右のフック部は、延出部の上方において水平部材で一体となるように繋がれているので、左右のフック部のいずれか一方に紐をつけて操作する事により、フック部を開放・閉鎖することができる。
【００３７】
請求項２に記載の梯子固定治具に係る発明は、例えば、図８乃至図１０に示すように、フック部には、閉鎖状態から紐を一度引くと開放状態が維持され、開放状態から紐を一度引くと閉鎖状態に戻る開閉機構が設けられている事を特徴とする。
【００３８】
請求項２に記載の梯子固定治具によれば、フック部には、閉鎖状態から紐を一度引くと開放状態が維持され、開放状態から紐を一度引くと閉鎖状態に戻る開閉機構が設けられているので、フック部を開放状態にして梯子固定治具に梯子をかけて、その後、紐を一度引くとフック部が閉鎖状態に戻ることで安全・確実に梯子を固定できる。
【００３９】
請求項３に記載の梯子固定治具に係る発明は、例えば、図２及び図３に示すように、下フランジが上フランジより長い事を特徴とする。
【００４０】
請求項３に記載の梯子固定治具によれば、下フランジが上フランジより長いので、作業者が梯子の上り下りをする際に梯子固定台座に下方向の力が作用すると、その自重で下フランジの先端部が上方に押し付けられ、凸部をさらに締め付ける状態となる。その結果、水平方向に突出した凸部に宛がっている梯子固定治具が不意に外れてしまう事態の発性を確実に阻止した状態で、梯子を固定できる。
【００４１】
請求項４に記載の梯子固定治具と安全ブロック取り付け治具とのセットに係る発明は、例えば、図１に示すように、梯子固定治具と、この梯子固定治具の近傍に設けられ、水平方向に突出した凸部の部材の上面に取り付けられた安全ブロック取り付け治具とのセットである事を特徴とする。
【００４２】
請求項４に記載の梯子固定治具と安全ブロック取り付け治具とのセットによれば、梯子固定治具により梯子を簡単且つ確実に固定すると共に、安全ブロックを安全ブロック取り付け治具に取り付け可能にすることにより、梯子を介した昇降時における作業員の落下を防止して、作業員の安全を確保できる。
【発明の効果】
【００４３】
本発明によれば、路面の開口部に設置している、例えば、覆工板等の所定の部材(水平方向に突出した凸部)に、梯子を簡単且つ確実に取り付けると共に、梯子の取り外しも極めて容易である梯子固定治具、および、この梯子固定治具と、梯子を介した昇降時における作業員の落下を防止して安全を確保する安全ブロックとのセットを提供することができる。
【図面の簡単な説明】
【００４４】
【図１】本発明に係る梯子固定治具と、安全ブロックの使用例を示す側面図である。
【図２】本発明に係る梯子固定治具の構成を、梯子固定台座側から見た斜視図である。
【図３】本発明に係る梯子固定治具の構成を、コ字状の金具側から見た斜視図である。
【図４】本発明に係る梯子固定治具を所定の部材に取り付ける状態を示すもので、（ａ）は本発明に係る梯子固定治具を部材に取り付ける前の状態を示す図であり、（ｂ）は梯子固定治具を部材に宛がって固定する状態を示す図であり、（ｃ）は梯子を取り付ける際にフック部を開放している状態を示す図である。
【図５】所定の部材に固定した梯子固定治具に梯子を取り付ける状態を示すもので、（ａ）はフック部を開放して梯子固定台座に梯子の横木を載せた状態を示す図であり、（ｂ）はフック部を閉鎖して梯子固定台座に梯子を固定した状態を示す図である。
【図６】梯子固定治具に梯子を取り付ける際のフック部の作動状態を示すもので、二点鎖線のフック部は、開放状態で梯子固定台座に梯子の横木を載せた状態を示しており、実線のフック部は、閉鎖状態で梯子固定台座に梯子の横木を固定した状態を示している。
【図７】本発明に係る梯子固定治具の、開閉機構の構成例を示す側面図である。
【図８】本発明に係る梯子固定治具の開閉機構の動作例を示すもので、（ａ）はフック部の閉鎖状態を示す図であり、（ｂ）はカムの柱状の凸部がカム溝の導入部に位置している状態を示す図であり、（ｃ）はカムの柱状の凸部がカム溝の引き下げ溝に位置している状態を示す図である。
【図９】本発明に係る梯子固定治具の開閉機構の動作例を示すもので、（ｄ）はカムの柱状の凸部がカム溝のロック溝に位置している状態を示す図であり、（ｅ）はカムの柱状の凸部がカム溝の解除溝へ移動する状態を示す図であり、（ｆ）はカムの柱状の凸部がカム溝の解除溝に位置している状態を示す図である。
【図１０】本発明に係る梯子固定治具の開閉機構の動作例を示すもので、（ｇ）はカムの柱状の凸部が、図９（ｆ）の位置から若干下方に移動している状態を示す図であり、（ｈ）はカムの柱状の凸部がカム溝の下方にさらに移動している状態を示す図である。
【図１１】本発明に係る梯子固定治具の変形例の構成を示す側面図である。
【図１２】本発明に係る梯子固定治具の変形例の構成を示す側面図である。
【図１３】棒部材を用いたフック部の解放操作を示すもので、（ａ）は棒部材の環部を突出部の突片に係合させる状態を示す斜視図、（ｂ）は棒部材を押し込んでフック部を開放させた状態を示す斜視図である。
【図１４】路面における所定の掘削工事の現場において、梯子や安全ブロックを固定する従来の手法を説明した概略の斜視図である。
【発明を実施するための形態】
【００４５】
以下に、図面を参照して、本発明の実施の形態について説明する。
【００４６】
＜実施の形態＞
図１乃至図６は、本発明に係る梯子固定治具の一実施の形態を示している。
【００４７】
本発明に係る梯子固定治具１は、図２及び図４に示すように、水平方向に突出した凸部である覆工板１０１を上下方向から挟むために左右に離間配置された一対のコ字状の金具３と、これらのコ字状の金具３の鉛直部分を繋ぐ梯子固定台座５とを備えている。梯子固定治具１における梯子固定台座５の長さは、図５（ａ）・（ｂ）に示すように、梯子２００の横木２１０の長さより短く形成されており、梯子固定台座５が梯子２００の縦木２２０間に挿入できるようになっている。そのため、梯子固定治具１に梯子２００を宛がったときに、梯子固定台座５が梯子２００の縦木２２０間に挿入されて梯子の横木２１０を固定するのである。
【００４８】
コ字状の金具３は、図２及び図３に示すように、鉛直部分のウェブ７と、ウェブ上端から凸部側に水平方向に延出している上フランジ９と、ウェブ下端から凸部側に水平方向に延出している下フランジ１１とから構成されている。
【００４９】
そして、上フランジ９に、下フランジ１１側に締め付け可能な取手付きのボルト１３が取り付けられ、ボルト１３の下部先端と下フランジ１１の先端上部にはゴム等の弾性体１５が取り付けられている。また、下フランジ１１は、図３に示すように、上フランジ９より長く形成されている。さらに、図２及び図３に示すように、上フランジ９間には板状の上部補助材１７が設けられ、下フランジ１１間にも板状の下部補助材１９が設けられている。
【００５０】
梯子固定台座５は、図２に示すように、コ字状の金具３の鉛直部分を繋ぐ板状の水平部２１と、水平部２１の両端から凸部の反対側(金具３の反対側)に垂直に延出している延出部２３を備えている。また、延出部２３には、紐２５を介した操作により開放状態・閉鎖状態となり、梯子２００の横木２１０を固定するフック部２７が取り付けられている。
【００５１】
フック部２７は、図２及び図３に示すように、左右の延出部２３の外側に設けられている。また、フック部２７は、各延出部２３において、回動可能に取り付けられている。このフック部２７は、バネ２９の作用により、フック部２７の先端がコ字状の金具３側に向けられるように付勢されている。
【００５２】
左右のフック部２７は、延出部２３の上方において、板状の水平部材２４で一体となるように繋がれている。また、バネ２９は、図２に示すように、フック部２７の回転軸に巻かれたバネ２９の一端が延出部２３の上部に設けられた柱状の凸部３１の下部に接し、バネ２９の他端がフック部２７の下部に設けられた板状の凸部３３の上部に接している。そして、バネ２９の他端が板状の凸部３３を斜め下方向に付勢することにより、フック部２７上部がコ字状の金具３側に位置している。
【００５３】
フック部２７の上部には、突出部３７が設けられている。この突出部３７の先端部には、所定の長さの紐２５を取り付けるための紐孔３５が設けられている。
フック部２７の突出部３７は、図６に示すように、フック部２７が閉鎖状態の際に、紐孔３５が設けられている突出部３７の先端部が、平面視において延出部２３の先端よりも外側に位置するように延出している。これにより、紐孔３５に取り付けた紐２５が、延出部２３に干渉することが無くなり、作業員は紐２５の操作により、フック部２７の開放・閉鎖作業を円滑に行う事ができる。
【００５４】
本発明に係る梯子固定治具１は、水平方向に突出している様々な部材に取り付け可能であるが、その手順を、覆工板１０１への取り付けを例にして以下に説明する。
【００５５】
まず、図４（ａ）に示すように、梯子固定治具１を、凸部である覆工板１０１
の側方に配置する。そして、梯子固定治具１を覆工板１０１側に水平移動させて、図４（ｂ）に示すように、覆工板１０１を上フランジ９と下フランジ１１で挟むようにして覆工板１０１に梯子固定治具１を宛がい、ボルト１３を時計回りに回して、梯子固定治具１を覆工板１０１に固定する。次に、図４（ｃ）に示すように、作業員が紐２５を下方に引いてフック部２７を開放する。
【００５６】
次に、図５（ａ）・図６の二点鎖線に示すように、フック部２７を開放している状態を維持しながら、梯子固定台座５の延出部２３に梯子２００の横木２１０を載せる。この状態で作業員が紐２５から手を離すと、図５（ｂ）・図６の実線に示すように、バネ２９によりフック部２７が閉鎖状態になり、梯子２００の横木２１０をフック部２７により押さえ込んだ状態を維持して、梯子固定治具１に梯子２００が固定される。
【００５７】
この他、フック部２７には、所定の開閉機構が設けられている。この開閉機構は、例えば、フック部２７が閉鎖している状態において、作業員が紐２５を一度引くと、フック部２７の開放状態が維持され、再度紐を引くと、フック部２７が閉鎖状態に戻るものである。
【００５８】
梯子固定台座５の開閉機構としては、種々の構成のものが考えられるが、以下に、その一例について説明する。
【００５９】
この開閉機構は、例えば、図７に示すように、主として、フック部２７の下部に回転可能に設けられたカム２８Ａと、延出部２３と平行に設けられたカム溝用板部材２８Ｂとから構成されている。このカム２８Ａは、フック部２７のバネ２９の下方に設けられた柱状の凸部２７ａとバネ２７ｂで繋がれている。そして、図７に示すバネ２９の状態で、カム２８Ａは静止している。延出部２３とカム溝用板部材２８Ｂは、フック部２７が回転したときに、カム２８Ａの凸部２８ａがカム溝３０に沿って移動可能となるように離間している。カム２８Ａの凸部２８ａは、フック部２７の開閉動作時に、カム溝３０の導入部３０ａ、引き下げ溝３０ｂ、ロック溝３０ｃ、解除溝３０ｄに位置するように、順に移動する。
【００６０】
フック部２７の閉鎖状態では、図８（ａ）に示すように、バネ２７ｂによりＬ字型のカム２８Ａを、所定の位置に静止させている。そして、作業者により紐２５が下方に引かれると、図８（ｂ）に示すように、フック部２７が回転する一方で、カム２８Ａの凸部２８ａは、カム溝用板部材２８Ｂの導入部３０ａに移動する。更に、紐２５が下方に引かれると、図８（ｃ）に示すように、カム２８Ａの凸部２８ａは、引き下げ溝３０ｂに移動して停止する。
【００６１】
そして、カム２８Ａの凸部２８ａが引き下げ溝３０ｂに移動して停止したときに、作業者が紐２５を離すと、図９（ｄ）に示すように、凸部２８ａはロック溝３０ｃに移動して停止するため、フック部２７が開放状態になり、そのままフック部２７の開放状態が維持される。
【００６２】
次に、作業者が再度紐２５を下方に引くと、図９（ｅ）に示すように、カム２８Ａの凸部２８ａはカム溝３０の上方に移動する。そして、カム２８Ａの凸部２８ａは、図９（ｆ）に示すように、解除溝３０ｄに移動して停止する。ここで、作業者が紐２５を放すと、バネ２９の付勢力により、図１０（ｇ）に示すように、カム２８Ａの凸部２８ａは若干下方に移動し、図１０（ｈ）に示すように、凸部２８ａがカム溝３０の下方にさらに移動する。そして、カム２８Ａの凸部２８ａがカム溝用板部材２８Ｂから離れて、図８（ａ）に示すフック部２７の閉鎖状態に戻る。
【００６３】
＜変形例１＞
上記実施の形態においては、覆工板１０１に取り付ける梯子固定治具１について説明した。しかし、これに限定されず、例えば、図１１に示すように、Ｈ鋼のウェブ３９に取り付けるコ字状の金具３ａと梯子固定台座５を備える梯子固定治具１であっても良い。
【００６４】
この梯子固定治具１は、上記した実施例と比べて、上フランジ９と下フランジ１１間の幅を大きくする。そして、上フランジ９に取り付けられているボルト１３を長くし、下フランジ１１の先端部を上方に向けて折曲した形状とすることで、Ｈ鋼のウェブ３９に取り付けるのに好ましい梯子固定治具１とする。
【００６５】
＜変形例２＞
また、例えば、図１２に示すように、Ｈ鋼のフランジ４１に取り付けるコ字状の金具３ｂと梯子固定台座５を備える梯子固定治具１ｂであっても良い。
【００６６】
この梯子固定治具１は、上フランジ９と下フランジ１１の間の幅を、Ｈ鋼のフランジ４１に合わせるように調整した梯子固定治具１ｂとなる。
【００６７】
＜変形例３＞
上記実施の形態および変形例１乃至３においては、フック部２７が左右の延出部２３の外側に設けられている例について説明した。しかし、これに限定されず、フック部２７が左右の延出部２３の内側に設けられていても良い。
【００６８】
フック部２７を左右の延出部２３の内側に設けることにより、梯子２００とフック部２７の干渉をより確実に回避することができる。
【００６９】
＜変形例４＞
この他、図１３（ａ）に示すように、フック部２７における突出部３７に、所定の突片５０を設けても良い。この突片５０は、突出部３７の側方に向けて設けられている。この突片５０が存在することにより、先端に環部５１を備えている棒部材５２による、フック部２７の開閉操作が可能となる。
【００７０】
この操作は、まず、図１３（ａ）に示すように、棒部材５２の環部５１を、突出部３７の突片５０に係合させる。そして、図１３（ｂ）に示すように、作業員が棒部材５２を押し込んで、フック部２７を開放させるのである。
【００７１】
尚、フック部２７に所定の環部（５１）を設ける一方、棒部材（５２）の先端を折り曲げて両部材を係合させる等、どのような係合手段を用いても良い。
【００７２】
また、図１に示すように、梯子固定治具１を用いて覆工板１０１に梯子２００を固定すると共に、梯子固定治具１の近傍に安全ブロック３００を配置しても良い。
【００７３】
この安全ブロック３００は、図１に示すように、覆工板１０１の上面に立設状に配置した安全ブロック取り付け治具３１０に取り付けられている。
【００７４】
安全ブロック取り付け治具３１０は、所定の長さの垂設部材３１１と、垂設部材３１１の上端部に連設した横架部材３１３から構成され、横架部材３１１の先端部分には、安全ブロック３００の取付具３１５を有する。
【００７５】
垂設部材３１１の下端部分は、ボルトなどで覆工板１０１に固定され、垂設部材３１１の中程が、柵１２０の単管パイプ１２２に金具等で固定されている。
【００７６】
このように、梯子固定治具１の近傍に、安全ブロック取り付け治具３１０を介して安全ブロック３００を配置することにより、梯子固定治具１により梯子２００を簡単且つ確実に固定すると共に、安全ブロック３００により、梯子２００を介した昇降時における作業員の落下を防止して、作業員の安全を確保できる。
【００７７】
また、作業員が昇降する際の梯子２００の荷重は梯子固定治具１が支え、作業員が誤って落下した場合の荷重は安全ブロック取り付け治具３１０が支えるので、梯子２００と安全ブロック取り付け治具３１０が同時に倒壊するような事態の発生を防止して、作業員の安全をより確実に確保することができる。
【符号の説明】
【００７８】
１，１ａ，１ｂ  梯子固定治具
３  コ字状の金具
５  梯子固定台座
７  ウェブ
９  上フランジ
１１  下フランジ
１３  ボルト
１５  弾性体
１７  上部補助材
１９  下部補助材
２１  水平部
２３  延出部
２４  水平部材
２５  紐
２７  フック部
２７ａ，２８ａ  柱状の凸部
２７ｂ  バネ
２８Ａ  カム
２８Ｂ  カム溝用板部材
２９  バネ
３０カム溝
３０ａ  導入部
３０ｂ  引き下げ溝
３０ｃ  ロック溝
３０ｄ  解除溝
３１  柱状の凸部
３３  板状の凸部
３５  紐孔
３７  突出部
３９  Ｈ鋼のウェブ
４１  Ｈ鋼のフランジ
５０  突片
５１  環部
５２  棒部材
１０１  覆工板
１１０  開口部
１２０  柵
１２１  スタンション
１２２  単管パイプ
１３０  番線
２００  梯子
２１０  横木
２２０  縦木
３００  安全ブロック
３１０  安全ブロック取り付け治具
３１１  垂設部材
３１３  横架部材
３１５  取付具
【図１】
2015165066.tif 000003
【図２】
2015165066.tif 000004
【図３】
2015165066.tif 000005
【図４】
2015165066.tif 000006
【図５】
2015165066.tif 000007
【図６】
2015165066.tif 000008
【図７】
2015165066.tif 000009
【図８】
2015165066.tif 000010
【図９】
2015165066.tif 000011
【図１０】
2015165066.tif 000012
【図１１】
2015165066.tif 000013
【図１２】
2015165066.tif 000014
【図１３】
2015165066.tif 000015
【図１４】
2015165066.tif 000016